(57)【要約】  カードのデザインの自由度を損なうことなく、かつ真正なＩＣカードからＩＣチップを取り外すことにより作製された偽造ＩＣカードを確実に判別できるＩＣカード真贋判定システム等を提供することを目的とする。ＩＣカード表面からカード固有のランダムパターンに基づく画像情報を読み取る読取部と、画像情報から特徴量を特徴情報として抽出する抽出部と、ＩＣカードのＩＣチップからＩＣカードの識別情報を取得する取得部と、特徴情報を識別情報と対応付けることにより照合情報を生成する生成部と、照合情報を予め対比照合情報として記憶する記憶部と、そしてＩＣカードから取得されそして生成された照合情報を記憶部の中に記憶された対比照合情報と比較することにより、照合情報が対比照合情報と同一であるか否かを判定する判定部とを備えたＩＣカードの真贋判定システムを提供する。
2014016883.tif 000002
【特許請求の範囲】
【請求項１】
ＩＣカード表面から、カード固有のランダムパターンに基づく画像情報を読み取る読取部と、
前記画像情報から特徴量を特徴情報として抽出する抽出部と、
前記ＩＣカードのＩＣチップから、前記ＩＣカードの識別情報を取得する取得部と、
前記特徴情報を前記識別情報と対応付けることにより、照合情報を生成する生成部と、
前記照合情報を予め対比照合情報として記憶する記憶部と、そして
前記ＩＣカードから取得して生成した前記照合情報を、前記記憶部の中に記憶された前記対比照合情報と比較することにより、前記照合情報が前記対比照合情報と同一であるか否かを判定する判定部と
を備えたＩＣカードの真贋判定システム。
【請求項２】
ＩＣカード表面から、カード固有のランダムパターンに基づく画像情報を読み取る読取部と、
前記画像情報から特徴量を特徴情報として抽出する抽出部と、
前記ＩＣカードのＩＣチップから、前記ＩＣカードの識別情報を取得する取得部と、
前記特徴情報を前記識別情報と対応付けることにより、照合情報を生成する生成部と、
前記照合情報を予め対比照合情報として記憶しておく記憶部と、
前記対比照合情報を対比識別情報と対比特徴情報とへ分離する分離部と、
前記ＩＣカードから取得した前記識別情報を、前記記憶部の中に記憶されている前記対比照合情報から分離した前記対比識別情報と比較することにより、前記識別情報が前記対比識別情報と同一であるか否かを判定する第１の判定部と、そして
前記ＩＣカードから取得した前記特徴情報を、前記第１の判定部によって判定された前記対比識別情報に対応しており且つ前記記憶部の中に記憶されている前記対比照合情報から分離した前記対比特徴情報と比較することにより、前記特徴情報が前記対比特徴情報と同一であるか否かを判定する第２の判定部と
を備えたＩＣカードの真贋判定システム。
【請求項３】
前記識別情報に基づき、前記ＩＣカード表面上で前記特徴情報を抽出するための領域を特定する特定部をさらに備えており、前記抽出部は、前記特定部により特定された前記抽出領域内の画像情報に基づく特徴情報を抽出することを特徴とする請求項１又は２に記載のＩＣカードの真贋判定システム。
【請求項４】
前記ランダムパターンは、前記ＩＣカード表面に印刷されたインク中に混在する混入物の分布パターンであることを特徴とする請求項１又は２に記載のＩＣカードの真贋判定システム。
【請求項５】
前記ランダムパターンは、前記ＩＣカードを形成する紙の繊維の配向パターンであることを特徴とする請求項１又は２に記載のＩＣカードの真贋判定システム。
【請求項６】
前記記憶部は、前記ＩＣチップ内に設けられていることを特徴とする請求項１又は２に記載のＩＣカードの真贋判定システム。
【請求項７】
表面に、カード固有のランダムパターンを備え、そしてＩＣカードの識別情報が格納されたＩＣチップを備えていることを特徴とする、請求項１又は２に記載されたＩＣカードの真贋判定システムで使用されるＩＣカード。
【請求項８】
前記ランダムパターンは、前記ＩＣカード表面に印刷されたインク中に混在する混入物の分布パターンであることを特徴とする請求項７に記載のＩＣカード。
【請求項９】
前記ランダムパターンは、前記ＩＣカードを形成する紙の繊維の配向パターンであることを特徴とする請求項７に記載のＩＣカード。
【請求項１０】
前記記憶部は、前記ＩＣチップ内に設けられていることを特徴とする請求項７に記載のＩＣカード。
【発明の詳細な説明】
【技術分野】
【０００１】
本発明は、ＩＣカード真贋判定システムおよびそのシステムで使用されるＩＣカードに関し、特にカード固有のランダムパターンに基づく特徴情報をＩＣチップに格納された識別情報と対応付けることにより、偽造されたＩＣカードを容易且つ確実に判別することができるＩＣカードの真贋を判定するカード真贋判定システムおよびそのシステムで使用されるＩＣカードに関する。
【背景技術】
【０００２】
近年、クレジットカード、現金取引カードなどのセキュリティ性を高めるため、マイクロプロセッサやメモリなどを備えたＩＣチップが組み付けられたＩＣカードが急速に普及しつつある。これらのＩＣカードは、例えばカードまたはカード使用者に関する認証情報がＩＣチップに格納されており、カードが使用される際、格納された認証情報が外部コンピュータに保存されている照合情報と照合されることによってそのカードの真贋が判定される。【０００３】
しかしながら、ＩＣチップに格納されたデータの改ざんは容易でないことから、近年では、ＩＣチップ自体をカードから取り外して新たな偽造カードを作製する不正行為が行われている。すなわち、この種の不正行為では、例えばＩＣチップをカードから取り外し、取り外した真正なＩＣチップは第１の偽造カードへ移植し、ＩＣチップが取り外された元のカードには偽物のＩＣチップを組み付けることによって第２の偽造カードを作製することが行われる。そしてカード発行依頼者の元には、偽造ＩＣチップが組み付けられた第２の偽造カードを送りつけ、電話やオンライン端末などを介して、カード発行依頼者にカードの受領を確認させることにより、真正なＩＣチップが組み付けられた第１の偽造カードの使用を許可させるというものである。【０００４】
このようなＩＣチップをカードから取り外して作製された偽造カードの使用を阻止するための偽造防止技術としては、例えば特開平１０−２５５０１３号公報（特許文献１）、特開２００５−３０１５５４号公報（特許文献２）、特開２０１１−１２８９６０号公報（特許文献３）に記載されているように、ＩＣチップをカードから取り外すと、ＩＣチップに接続されているアンテナ回路などが破壊されてＩＣカード自体の使用が不可能になるというものが提案されている。【０００５】
しかしながら、上述のようなＩＣカード偽造防止技術は、ＩＣチップが取り外されたカード自体の使用を不可能にするためには有効であるが、取り外された真正なＩＣチップを他のカードへ移植することによって作製された新たな偽造カードの使用を阻止するためには有効でないという問題があった。【０００６】
また、他のＩＣカード偽造防止技術としては、例えば特開２００１−１２６０４６号公報（特許文献４）、特開２００１−２６６０８８号公報（特許文献５）、特開２００５−１２６７号公報（特許文献６）および特開２００９−１８７０８６号公報（特許文献７）に記載されている技術が知られている。【０００７】
特許文献４〜７に記載のＩＣカード偽造防止技術は、特殊インク印刷技術、特殊模様印刷技術、電子透かし技術、強磁性材箔利用技術、磁気テープ利用技術などの特殊な情報記録技術を利用して、人工的に作成した認証情報を記録した情報読取領域をカード基材中に設ける。そして、ＩＣカードの真贋を判定には情報読取領域から読み取った認証情報とＩＣカードに格納されている識別情報とを併用し、認証情報と識別情報との関連付けが、予め記憶媒体に記憶されている認証情報と識別情報との関連付けと整合しているか否かを判定することにより、カードの真贋を判定できるようにしたものである。【０００８】
しかしながら、特許文献１〜７に記載のＩＣカード偽造防止技術は、カードの識別情報と共に併用される認証情報も人工的に作成された情報であるため、一度カードの照合情報が読み取られてしまうと、特殊な情報記録技術であっても、それを利用して認証情報が記録された情報読取領域が比較的簡単に複製されてしまうという本質的な問題があった。【０００９】
また、これらのＩＣカード偽造防止技術は、特殊インク印刷技術、特殊模様印刷技術、電子透かし技術、強磁性材箔利用技術、磁気テープ利用技術などの特殊な情報記録技術を利用しなければならないため、カードおよびカードが使用されるシステムの構成が複雑となり、カードおよびシステムが極めて高価なものになるという問題があった。さらに、特許文献１〜７に記載のＩＣカード偽造防止技術では、カード基材へ一定の面積を占有する情報読取領域を設定しなければならないため、カードをデザインする際に様々な制約をもたらし、ＩＣカードを自由にデザインすることができないという問題もあった。【００１０】
さらに、特開２００７−２７２５４１号公報（特許文献８）には、サーバ等のデーターベースにＩＤ情報と関連付けたカード由来の識別情報を登録しておくことにより、カードから検出した識別情報を、ＩＤ情報に対応してサーバ等から読み出した識別情報と照合することにより、カードの真贋を判定できるようにした真贋判定システムが記載されている。【００１１】
しかしながら、特許文献８に記載された真贋判定システムにおいて、カードの真贋を判定するために利用される情報はカード由来の識別情報のみであり、そしてＩＣチップを取り外されたカードにはカード由来の識別情報が残っているため、ＩＣチップが取り外されたカードから新たな偽造カードが作製されることを効果的に防止することができないという問題があった。
【先行技術文献】
【特許文献】
【００１２】
【特許文献１】特開平１０−２５５０１３号公報
【特許文献２】特開２００５−３０１５５４号公報
【特許文献３】特開２０１１−１２８９６０号公報
【特許文献４】特開２００１−１２６０４６号公報
【特許文献５】特開２００１−２６６０８８号公報
【特許文献６】特開２００５−１２６７号公報
【特許文献７】特開２００９−１８７０８６号公報
【特許文献８】特開２００７−２７２５４１号公報
【特許文献９】特開２００４−１０２５６２号公報
【発明の概要】
【発明が解決しようとする課題】
【００１３】
そこで、本発明は、カードのデザインの自由度を損なうことなく、かつ真正なＩＣカードからＩＣチップを取り外すことにより作製された偽造ＩＣカードを確実に判別できるＩＣカード真贋判定システムおよびそのシステムで使用される偽造防止ＩＣカードを提供することを目的とする。
【課題を解決するための手段】
【００１４】
本発明者は、ＩＣカード固有の認証情報については人工的に作成された認証情報を利用するのではなく、カード由来のものであり且つカード固有のものである認証情報と、ＩＣチップに格納されたカードの識別情報との対応関係を照合することにより、カードの真贋を判定するＩＣカード真贋判定システムについて鋭意検討を重ねた。その結果、カード固有の認証情報については特開２００４−１０２５６２号公報（特許文献９）に記載されている識別照合技術を利用し、カード固有のランダムパターンに基づく特徴情報をＩＣチップの識別情報と対応付けることにより、特徴情報、識別情報およびその対応関係を照合することがＩＣカードの真贋を確実に判定するために最も有効であることを見出し、本発明を完成するに至った。【００１５】
すなわち、本発明のＩＣカード真贋判定システムは、カード固有の特徴情報を同じＩＣカード内のＩＣチップの識別情報と対応付けて照合情報を生成し、予め識別情報と対応付けられて記憶媒体に記憶されている対比照合情報との同一性を判定することを特徴とするものであり、その結果、取り外したＩＣチップを他のカードへ移植することによって新たな偽造カードが作製されたとしても、またはＩＣチップが取り外された元のカードに別のＩＣチップを組み付けることによって元のカードが偽造されたとしても、それらの偽造ＩＣカードが使用されると、容易にそれらの偽造カードを偽物であると判別し見つけ出すことができる。したがって、本発明のＩＣカード真贋判定システムで使用されるＩＣカードは、表面に、特徴情報の基礎となるカード固有のランダムパターンを有し、そして特徴情報と対応付けられる識別情報が格納されたＩＣチップを備えているという特徴を有している。【００１６】
具体的には、本発明によれば、ＩＣカード表面からカード固有のランダムパターンに基づく画像情報を読み取る読取部と、画像情報から特徴量を特徴情報として抽出する抽出部と、ＩＣカードのＩＣチップからＩＣカードの識別情報を取得する取得部と、特徴情報を識別情報と対応付けることにより照合情報を生成する生成部と、照合情報を予め対比照合情報として記憶する記憶部と、そしてＩＣカードから取得されそして生成された照合情報を記憶部の中に記憶された対比照合情報と比較することにより、照合情報が対比照合情報と同一であるか否かを判定する判定部とを備えたＩＣカードの真贋判定システムが提供される。なお、本発明のＩＣカードの真贋判定システムでは、記憶部の負荷を減らし、システム全体の構成を簡素化するために、記憶部をＩＣカードに組み込まれたＩＣチップ内に設けることもできる。【００１７】
また、本発明の他の面によれば、ＩＣカード表面からカード固有のランダムパターンに基づく画像情報を読み取る読取部と、画像情報から特徴量を特徴情報として抽出する抽出部と、ＩＣカードのＩＣチップからＩＣカードの識別情報を取得する取得部と、特徴情報を識別情報と対応付けることにより照合情報を生成する生成部と、照合情報を予め対比照合情報として記憶しておく記憶部と、対比照合情報を対比識別情報と対比特徴情報とへ分離する分離部と、ＩＣカードから取得した識別情報を、記憶部の中に記憶されている対比照合情報から分離した対比識別情報と比較することにより、識別情報が対比識別情報と同一であるか否かを判定する第１の判定部と、そしてＩＣカードから取得した特徴情報を、第１の判定部によって判定された対比識別情報に対応しており且つ記憶部の中に記憶されている対比照合情報から分離した対比特徴情報と比較することにより、特徴情報が対比特徴情報と同一であるか否かを判定する第２の判定部とを備えたＩＣカードの真贋判定システムが提供される。【００１８】
本発明のＩＣカードの真贋判定システムにおいて、カード固有の特徴情報は、ＩＣカード表面に印刷されたインク中に混在する混入物の不規則な分布が作り出すランダムパターンの画像情報から抽出される。また、カード基材が紙から作製されている場合は、カード固有の特徴情報は、基材を形成している紙の繊維が不定形に絡み合った状態で紙の繊維の配向が作り出すランダムパターンの画像情報から抽出することもできる。【００１９】
また、上記のランダムパターンを読み取ることによって得られる画像情報は、インク混入物のランダムな分布パターン若しくはランダムな紙繊維の配向パターンそのものであってもよく、またはランダムパターンに所定の方向から特定の光線を照射することにより得られる微細な濃淡パターンや微細な凹凸パターンであってもよい。【００２０】
このように、本発明で使用される特徴情報は、カード由来の且つカード固有のランダムパターンに基づくものであり、そしてカード固有のランダムパターンは、ヒトの指紋のように実質的に同一のランダムパターンを他のカードへ複製または再現することができない特徴である。このため、本発明のＩＣカードの真贋判定システムでは、特に真正なＩＣチップを他のカードへ移植することによって新たに作製された偽造ＩＣカードを判別するのに有効な手段として、カード固有のランダムパターンに基づく特徴情報、および特徴情報とＩＣチップ内の識別情報との関係に着目し、積極的に利用することとしている。【００２１】
具体的には、本発明のＩＣカードの真贋判定システムは、ＩＣカード表面からカード固有のランダムパターンに基づく画像情報を読み取る読取部と、画像情報から特徴情報を抽出する抽出部と、同じＩＣカード内のＩＣチップから識別情報を取得する取得部と、そして特徴情報を識別情報と対応付けることにより、照合情報を生成する生成部を備えている。【００２２】
読取部は、カード固有のランダムパターンを読み取ることによって画像情報を取得し、抽出部はその画像情報からランダムパターンの特徴量をカード固有の特徴情報として抽出する。また、生成部は、ＩＣカード表面から取得した特徴情報を同じＩＣカード内のＩＣチップから取得した識別情報と対応付けることによって照合情報を生成する。この照合情報は、予め対比照合情報として記憶部にも記憶される。【００２３】
したがって、ユーザーがＩＣカードを使用する時、ＩＣカード表面から取得された特徴情報は生成部によって識別情報と対応付けられた照合情報として処理され、該照合情報は、予め記憶部の中に記憶されている対比照合情報と比較されることにより対比照合情報と同一であるか否かが判定される。その結果、照合情報が対比照合情報と同一であると判定された場合は、ＩＣカードは真正なカードであると判別され、一方、照合情報が対比照合情報と同一でないと判定された場合は、ＩＣカードは偽物のカードであると判別される。【００２４】
また、本発明の他の面においては、ＩＣカードの真贋判定システムは、記憶部の中に記憶された対比照合情報を、対比特徴情報と対比識別情報とに分離するための分離部を備えていてもよい。この場合、本発明のＩＣカードの真贋判定システムは識別情報を照合するための第１の判定部と、第１の判定部で照合された識別情報に対応した特徴情報を照合するための第２の判定部を備えている。【００２５】
したがって、ユーザーがＩＣカードを使用する時、ＩＣカードのＩＣチップから取得された識別情報は、第１の判定部によって、予め記憶部の中に記憶されている対比照合情報から分離した対比識別情報と比較されることにより対比識別情報と同一であるか否かが判定される。また、ＩＣカード表面から取得された特徴情報は、第２の判定部によって、第１の判定部によって判定された対比識別情報に対応しており且つ予め記憶部の中に記憶されている対比照合情報から分離した対比特徴情報と比較されることにより対比特徴情報と同一であるか否かが判定される。その結果、識別情報が対比識別情報と同一であると判定され、そして特徴情報が対比特徴情報と同一であると判定された場合は、ＩＣカードは真正なカードであると判別され、一方、識別情報が対比識別情報と同一でないと判定され、または特徴情報が対比特徴情報と同一でないと判定された場合は、ＩＣカードは偽物のカードであると判別される。【００２６】
ここで、ＩＣチップから取得された識別情報と対応付けられるカード固有の特徴情報は、上述したとおり、ヒトの指紋情報のようにカード固有のランダムパターンに基づくものであり、そして特徴情報の基礎となるカード固有のランダムパターンは、実質的に同一のランダムパターンを他のカードへ複製または再現することはできない特徴である。【００２７】
そのため、もし本発明のＩＣカードの真贋判定システムにおいて、真正なＩＣチップを他のカードへ移植した偽造ＩＣカードや、ＩＣチップが取り外された元のカードに別のＩＣチップを組み付けた偽造ＩＣカードが使用されると、それらの偽造ＩＣカードは、カード固有の特徴情報とＩＣチップの識別情報との対応関係が破壊されているので確実に偽物であると判定され、そしてそれらの偽造ＩＣカードの使用が未然に阻止される。また、第三者は取り外したＩＣチップからカード固有の特徴情報、カード固有の特徴情報とＩＣチップの識別情報との対応関係を確認することができないので、実質的に同一のＩＣカードを偽造することができず、ＩＣカードの偽造が効果的に抑制されるという効果もある。【００２８】
また、本発明のＩＣカードの真贋判定システムでは、ＩＣチップの識別情報と対応付けられるカード固有の特徴情報は、インク中に混在する混入物や紙の繊維が自然と作り出す非人為的なランダムパターンなどに基づいているので、人工的にカード固有の認証情報を作成する必要もなければ、特殊インク印刷技術、特殊模様印刷技術、電子透かし技術、強磁性材箔利用技術、磁気テープ利用技術などの特殊な情報記録技術を利用してカード基材中にカード固有の認証情報を記録させる必要もない。【００２９】
このため、本発明のＩＣカードの真贋判定システムでは、カード固有の認証情報の作成や特殊な情報記録技術の利用などによる追加のコストを投じてＩＣカードの偽造を防止する必要がなく、原則として一般のＩＣカードを利用して正確にＩＣカードの真贋を判定することができるという利益がある。【００３０】
また、本発明のＩＣカードの真贋判定システムで使用されるＩＣカードは、特殊な情報記録技術を利用した情報読取領域をカード基材中に設ける必要もないので、カードのデザイン設計の自由度が高く、原則として一般のＩＣカードと同様に自由にデザインすることができるという利益もある。【００３１】
本発明のＩＣカードの真贋判定システムでは、使用されるＩＣカードの偽造をより一層困難にするため、ＩＣカード表面上で特徴情報を抽出するための領域を特定する特定部を設け、抽出部は、ＩＣチップに格納された識別情報に基づき、特定部により特定された抽出領域内のランダムパターンから取得した画像情報に基づく特徴情報を抽出するように構成することもできる。【００３２】
本発明のＩＣカードの真贋判定システムにおいて、読取部によってＩＣカード表面から画像情報を読み取るために必要な領域は、約１〜２ｍｍ四方程度の広さである。一方これに対し、インク中の混入物の分布が作り出すランダムパターンや、またはカード基材全体を構成している紙の繊維の配向が作り出すランダムパターンは、ＩＣカード表面の一部のみならず全部に施すことが可能である。また、本発明のＩＣカードの真贋判定システムで使用されるカードは、原則として一般のＩＣカードと同じ形態のＩＣカードが使用されるので、第三者がＩＣカードの外観を観察したのみでは、ＩＣカード表面のどの領域からカード固有の特徴情報が抽出されているのかを特定することはできない。【００３３】
このため、ＩＣチップに格納された識別情報に基づき、上述した特定部によって特定された領域内からカード固有の特徴情報が抽出されるようにすると、特徴情報の基礎となっているランダムパターンおよびその抽出位置を特定することがより一層困難となるため、本発明のＩＣカードの真贋判定システムで使用されるＩＣカードのセキュリティ性がより一層向上する。
【発明の効果】
【００３４】
本発明において、ＩＣチップから取得された識別情報と対応付けられるカード固有の特徴情報は、ヒトの指紋情報のようにカード固有のランダムパターンに基づくものであり、そして特徴情報の基礎となるカード固有のランダムパターンは、実質的に同一のランダムパターンを他のカードへ複製または再現することはできない特徴である。したがって、もし本発明のＩＣカードの真贋判定システムにおいて、真正なＩＣチップを他のカードへ移植するなどの偽造が行われると、それらの偽造ＩＣカードは、カード固有の特徴情報とＩＣチップの識別情報との対応関係が破壊されているので確実に偽物であると判定され、そしてそれらの偽造ＩＣカードの使用が未然に阻止される。また、第三者は、カード固有の特徴情報とＩＣチップの識別情報との対応関係を確認することができないので、実質的に同一のＩＣカードを偽造することができず、ＩＣカードの偽造が効果的に抑制されるという効果もある。【００３５】
また、本発明のＩＣカードの真贋判定システムでは、ＩＣチップの識別情報と対応付けられるカード固有の特徴情報は、印刷インク中に混在する混入物や紙の繊維が自然に作り出す非人為的なランダムパターンなどに基づいているので、人工的にカード固有の認証情報を作成する必要もなければ、特殊な情報記録技術を利用してカード基材中にカード固有の認証情報を記録させる必要もない。このため、本発明のＩＣカードの真贋判定システムでは、カード固有の認証情報の作成や特殊な情報記録技術の利用などによる追加のコストを投じてＩＣカードの偽造を防止する必要がなく、原則として一般のＩＣカードを利用して正確にＩＣカードの真贋を判定することができるという利益がある。【００３６】
さらに、本発明のＩＣカードの真贋判定システムで使用されるＩＣカードは、特殊な情報記録技術を利用した情報読取領域をカード基材中に設ける必要もないので、カードのデザイン設計の自由度が高く、原則として一般のＩＣカードと同様に自由にデザインすることができるという利益もある。【００３７】
また、本発明のＩＣカードの真贋判定システムでは、カード固有の特徴情報を、ＩＣチップに格納された識別情報に基づき、上述した特定部によって特定された領域内から読み取られるようにすることで、特徴情報の基礎となっているランダムパターンおよびその抽出位置を特定することがより一層困難となるため、本発明のＩＣカードの真贋判定システムで使用されるＩＣカードのセキュリティ性がより一層向上するという効果もある。
【図面の簡単な説明】
【００３８】
【図１】本発明のＩＣカードの真贋判定システムで使用されるＩＣカードの概要図である。
【図２】本発明のＩＣカード真贋判定システムの構成を示した概要図である。
【図３】本発明におけるＩＣカードの真贋判定処理手順の一例を示したフローチャートである。
【図４】本発明の他の面におけるＩＣカード真贋判定システムの構成を示した概要図である。
【図５】本発明の他の面におけるＩＣカードの真贋判定処理手順の一例を示したフローチャートである。
【発明を実施するための形態】
【００３９】
以下、本発明の一実施形態に係るＩＣカードの真贋判定システムおよびそのシステムで使用されるＩＣカードについて、図面を参照しながら詳細に説明する。なお、本発明は、以下に示される実施形態に限定されるものではなく、本発明の技術的思想を逸脱しない範囲内で各種の変更が可能である。
【００４０】
図１には、本発明の一実施形態に係るＩＣカードの真贋判定システム１で使用されるＩＣカード２ａ，２ｂが示されている。ＩＣカード２ａ，２ｂは、カード基材２４の表面２１の全部または一部の領域に形成されたランダムパターン２２，２３と、ＩＣカード２ａ，２ｂの識別情報５１が格納されたＩＣチップ５２を備えている。
【００４１】
図１（ａ）には、特徴情報４１の基礎となるカード固有のランダムパターン２２として、ＩＣカード表面２１に印刷されたインク中に混在する混入物の分布パターンを有しているＩＣカード２ａが示されている。このようなＩＣカード２ａとしては、例えば銀塗装が施されたプラスチック製のＩＣカードなどがある。また、図１（ｂ）には、カード基材２４が紙材料から作製されており、カード固有の他のランダムパターン２３として、カード基材２４を形成する紙の繊維の配向パターンを有しているＩＣカード２ｂが示されている。
【００４２】
このように、本実施形態におけるＩＣカード２ａ，２ｂは、カード表面２１の全部または一部の領域に自然に形成されたランダムパターン２２，２３を有しており、そして同じカード内にＩＣカード２ａ，２ｂの識別情報５１が格納されたＩＣチップ５２を備えているという特徴を有する。その結果、本実施形態に係るＩＣカード２ａ，２ｂは、特殊な情報記録技術を利用してカード基材２４中にカード固有の特徴情報４１を記録させる必要がないので、一般のＩＣカードと同様に自由にデザインすることができる。
【００４３】
また、本実施形態に係るＩＣカード２ａ，２ｂが有するランダムパターン２２，２３は、ヒトの指紋情報のように人為的に複製または再現することは実質的に不可能な特徴である。また、カード固有のランダムパターン２２，２３に基づく特徴情報３１は、同じＩＣカード２ａ，２ｂのＩＣチップ５２内に格納されている識別情報５１に対応付けられて処理される。
【００４４】
したがって、本実施形態のＩＣカードの真贋判定システム１において、もしＩＣカード２ａ，２ｂからＩＣチップ５２のみを取り外したり、または取り外したＩＣチップ５２を他のＩＣカードへ移植したりすると、カード固有の特徴情報４１とＩＣチップ５２内の識別情報５１との対応関係が破壊されているので、そのような偽造ＩＣカードは高度に識別され、使用することができない。また、第三者は、取り外したＩＣチップ５２から、識別情報５１と対応付けられている特徴情報４１を確認することができないので、実質的に同一のＩＣカードを偽造することもできない。
【００４５】
図２には、本発明の実施形態に係るＩＣカード真贋判定システム１の概要が示されている。本実施形態に係るＩＣカード真贋判定システム１は、主として、操作部１１、制御部１２、読取部３、抽出部４、取得部５、特定部６、生成部７、記憶部８および判定部９とを備えて構成されている。
【００４６】
操作部１１は、ＩＣカード真贋判定システム１を使用するユーザーが該システムを操作するための、いわゆるユーザインタフェースである。したがって、操作部１１は、カードリーダー、キーボードまたはスイッチなどの入力部を備えている。
【００４７】
制御部１２は、例えば操作部１１のオン／オフスイッチのオン／オフ信号に基づき、読取部３、抽出部４、取得部５、特定部６、生成部７、記憶部８および判定部９などへ、それぞれの処理開始を命令するものである。
【００４８】
読取部３はＣＣＤカメラまたはＣＣＤラインセンサなどの光学式画像読取装置を備えており、ＩＣカード表面２１から、ＩＣカード表面２１に印刷されたインク中に混在する混入物の不規則な分布のランダムパターン２２や、またはカード基材２４を形成している紙の繊維の不規則な配向のランダムパターン２３を画像情報３１として読み取る。
【００４９】
抽出部４は、読取部３によって取得された画像情報３１からカード固有の特徴量を特徴情報４１として抽出する。そして、抽出部４によって抽出されたＩＣカード固有のランダムパターンに基づく特徴情報４１は、判定部９へ送信される。
【００５０】
ランダムパターン２２，２３を読み取ることによって得られる画像情報３１は、例えばＩＣカード２ａ，２ｂに光を照射することによって得られる反射光または透過光を受光することにより得られるランダムパターンに基づくものであってもよい。したがって、この場合の画像情報３１は、ＩＣカード表面に印刷されたインク中に混在する混入物の不規則な分布が作り出すランダムパターンや、またはカード基材を形成している紙の繊維が不定形に絡み合った状態で紙の繊維の配向が作り出すランダムパターンそのものであってもよい。また、画像情報３１は、ＩＣカード２ａ，２ｂに所定の方向から特定の光線を照射することによって得られる微細な濃淡パターンや微細な凹凸パターン若しくはそれらのパターンであってもよい。
【００５１】
取得部５は、ＩＣチップ５２に格納されている識別情報５１を読み出すために機能するものである。取得部５は例えばＩＣプローブ（図示せず）のようなものを備えており、ＩＣプローブはＩＣカード２ａ，２ｂが接触型であるかまたは非接触型であるかを問わず、ＩＣチップ５２に格納されている識別情報５１を取得し、そして識別情報５１を判定部９へ送信する。
【００５２】
また、本実施形態に係るＩＣカードの真贋判定システム１では、使用されるＩＣカード２ａ，２ｂの偽造をより一層困難にするため、ＩＣカード表面２１上で特徴情報４１を抽出するための領域を特定する特定部６を設け、ＩＣチップ５２に格納された識別情報５１に基づき、抽出部４は、特定部６により特定された抽出領域内からランダムパターン２２，２３に基づく特徴情報３１を抽出するように構成することもできる。また、抽出領域の特定は、読取部３によって読み取られた、ある範囲内のランダムパターン２２，２３に基づく画像情報３１の中から抽出領域を特定し、この抽出領域に対応するランダムパターン２２，２３の画像情報３１を切り出すことによって特徴情報４１を抽出する方法であってもよい。
【００５３】
本実施形態において、読取部３がＩＣカード表面２１からランダムパターン２２，２３を読み取るために必要な領域は、約１〜２ｍｍ四方程度の広さがあれば十分である。一方これに対し、ランダムパターン２２，２３そのものは、ＩＣカード表面２１の一部のみならず全部に施すことが可能である。このため、ＩＣチップ５２に格納された識別情報５１に基づき、特定部６によって特定された領域内からカード固有の特徴情報４１が抽出されるようにすると、特徴情報４１の基礎となるランダムパターン２２，２３およびその抽出位置を特定することがより一層困難となるため、ＩＣカードの真贋判定システム１で使用されるＩＣカード２ａ，２ｂのセキュリティ性がより一層向上する。
【００５４】
生成部７は、ＩＣカード表面２１から取得した特徴情報４１を同じＩＣカード２ａ，２ｂ内のＩＣチップ５２から取得した識別情報５１と対応付けることによって照合情報７１を生成するために機能する。また、この照合情報７１は、暗号化された情報として生成してもよい。
【００５５】
記憶部８は、ＩＣカード２ａ，２ｂから取得されそして生成された照合情報７１と比較するため、生成部７によって生成された照合情報７１を予め対比照合情報７２として記憶する。例えば、記憶部８はＩＣカード２ａ，２ｂとは別個に設けられた大容量のハードディスクドライブを備えたサーバまたはメモリ等であってもよく、またはＩＣカード２ａ，２ｂのＩＣチップ５２内に設けられたメモリ等であってもよい。特に記憶部８をＩＣカード２ａ，２ｂのＩＣチップ５２内に設けると、記憶部８に記憶させるＩＣカードの対比照合情報７２を分散させて記憶させることができるので、記憶部８の負荷を減らすことができ、システム全体の構成も簡素化できる。
【００５６】
判定部９は、ＩＣカード２ａ，２ｂから取得されそして生成された照合情報７１を、記憶部８から読み出した対比照合情報７２と比較することにより、照合情報７１が対比照合情報７２と同一であるか否かを判定する。その結果、判定部９が、照合情報７１を対比照合情報７２と同一であると判定すれば、ＩＣカードの真贋判定システム１は、ＩＣカード２ａ，２ｂを本物としてカード利用に対して提供されるべきアプリケーション処理を実行する。もし判定部９が照合情報７１を対比照合情報７２と同一でないと判定すれば、ＩＣカードの真贋判定システム１は、ＩＣカード２ａ，２ｂを偽物として、カード利用に対して提供されるべきアプリケーション処理の実行を拒否する。また、判定部９による判定結果は、例えば上述した操作部１１に設けられた表示部やディスプレイなどの表示部に出力される。
【００５７】
次に、本実施形態のＩＣカードの真贋判定システム１におけるＩＣカード２ａ，２ｂの真贋判定方法について説明する。図３は、本発明の実施形態に係る真贋判定システム１におけるＩＣカード２ａ，２ｂの真贋判定処理手順の一例を示したフローチャートである。
【００５８】
まず、操作部１１は、所定の位置にＩＣカード２ａ，２ｂを受け入れるとスイッチがオンされ、スイッチオンの信号を受けた制御部１２は読取部３および取得部５へ処理開始を命令する。
【００５９】
ステップＳ１では、命令を受けた取得部５がＩＣチップ５２に格納されている識別情報５１を読み出す。
【００６０】
一方、ステップＳ２では、命令を受けた読取部３が、ＩＣカード表面２１からカード固有のランダムパターン２２，２３に基づく画像情報３１を読み取る。
【００６１】
ステップＳ３では、抽出部４が、特定情報６１に基づいて特定された抽出領域内の画像情報３１からカード固有の特徴量を特徴情報４１として抽出する。
【００６２】
ステップＳ４では、生成部７が、特徴情報４１を識別情報５１と対応付けることによって照合情報７１を生成する。
【００６３】
ステップＳ５では、判定部９が、照合情報７１を記憶部８から読み出した対比照合情報７２と比較することにより、照合情報７１が対比照合情報７２と同一であるか否かを判定する。その結果、判定部９が、照合情報７１を照合情報７２と同一であると判定すれば、ＩＣカード２ａ，２ｂが本物である旨の結果を出力し、そして照合情報７１を対比照合情報７２と同一でないと判定すれば、ＩＣカード２ａ，２ｂが偽物である旨の結果を出力する。そしてこれらの判定結果は、例えば操作部１１へ送信され、操作部１１に設けられた表示部やディスプレイなどの表示部に出力される。
【００６４】
図４には、本発明の他の実施形態に係るＩＣカード真贋判定システム１の概要が示されている。本実施形態に係るＩＣカード真贋判定システム１は、主として、操作部１１、制御部１２、読取部３、抽出部４、取得部５、特定部６、生成部７、記憶部８、分離部１０および第１の判定部９１と第２の判定部９２とを備えて構成されている。
【００６５】
操作部１１は、ＩＣカード真贋判定システム１を使用するユーザーが該システムを操作するための、いわゆるユーザインタフェースである。したがって、操作部１１は、カードリーダー、キーボードまたはスイッチなどの入力部を備えている。
【００６６】
制御部１２は、例えば操作部１１のオン／オフスイッチのオン／オフ信号に基づき、読取部３、抽出部４、取得部５、特定部６、生成部７、記憶部８、分離部１０および第１の判定部９１と第２の判定部９２などへ、それぞれの処理開始を命令するものである。
【００６７】
読取部３はＣＣＤカメラまたはＣＣＤラインセンサなどの光学式画像読取装置を備えており、ＩＣカード表面２１から、ＩＣカード表面２１に印刷されたインク中に混在する混入物の不規則な分布のランダムパターン２２や、またはカード基材２４を形成している紙の繊維の不規則な配向のランダムパターン２３を画像情報３１として読み取る。
【００６８】
抽出部４は、読取部３によって取得された画像情報３１からカード固有の特徴量を特徴情報４１として抽出する。そして、抽出部４によって抽出されたＩＣカード固有のランダムパターンに基づく特徴情報４１は、判定部９へ送信される。
【００６９】
ランダムパターン２２，２３を読み取ることによって得られる画像情報３１は、例えばＩＣカード２ａ，２ｂに光を照射することによって得られる反射光または透過光を受光することにより得られるランダムパターンに基づくものであってもよい。したがって、この場合の画像情報３１は、ＩＣカード表面に印刷されたインク中に混在する混入物の不規則な分布が作り出すランダムパターンや、またはカード基材を形成している紙の繊維が不定形に絡み合った状態で紙の繊維の配向が作り出すランダムパターンそのものであってもよい。また、画像情報３１は、ＩＣカード２ａ，２ｂに所定の方向から特定の光線を照射することによって得られる微細な濃淡パターンや微細な凹凸パターン若しくはそれらのパターンであってもよい。
【００７０】
取得部５は、ＩＣチップ５２に格納されている識別情報５１を読み出すために機能するものである。取得部５は例えばＩＣプローブ（図示せず）のようなものを備えており、ＩＣプローブはＩＣカード２ａ，２ｂが接触型であるかまたは非接触型であるかを問わず、ＩＣチップ５２に格納されている識別情報５１を取得し、そして識別情報５１を判定部９へ送信する。
【００７１】
また、本実施形態に係るＩＣカードの真贋判定システム１では、使用されるＩＣカード２ａ，２ｂの偽造をより一層困難にするため、ＩＣカード表面２１上で特徴情報４１を抽出するための領域を特定する特定部６を設け、ＩＣチップ５２に格納された識別情報５１に基づき、抽出部４は、特定部６により特定された抽出領域内からランダムパターン２２，２３に基づく特徴情報３１を抽出するように構成することもできる。また、抽出領域の特定は、読取部３によって読み取られた、ある範囲内のランダムパターン２２，２３に基づく画像情報３１の中から抽出領域を特定し、この抽出領域に対応するランダムパターン２２，２３の画像情報３１を切り出すことによって特徴情報４１を抽出する方法であってもよい。
【００７２】
本実施形態において、読取部３がＩＣカード表面２１からランダムパターン２２，２３を読み取るために必要な領域は、約１〜２ｍｍ四方程度の広さがあれば十分である。一方これに対し、ランダムパターン２２，２３そのものは、ＩＣカード表面２１の一部のみならず全部に施すことが可能である。このため、ＩＣチップ５２に格納された識別情報５１に基づき、特定部６によって特定された領域内からカード固有の特徴情報４１が抽出されるようにすると、特徴情報４１の基礎となるランダムパターン２２，２３およびその抽出位置を特定することがより一層困難となるため、ＩＣカードの真贋判定システム１で使用されるＩＣカード２ａ，２ｂのセキュリティ性がより一層向上する。
【００７３】
生成部７は、ＩＣカード表面２１から取得した特徴情報４１を同じＩＣカード２ａ，２ｂ内のＩＣチップ５２から取得した識別情報５１と対応付けることによって照合情報７１を生成するために機能する。また、この照合情報７１は、暗号化された情報として生成してもよい。
【００７４】
記憶部８は、ＩＣカード２ａ，２ｂから取得されそして生成された照合情報７１と比較するため、生成部７によって生成された照合情報７１を予め対比照合情報７２として記憶する。例えば、記憶部８はＩＣカード２ａ，２ｂとは別個に設けられた大容量のハードディスクドライブを備えたサーバまたはメモリ等であってもよく、またはＩＣカード２ａ，２ｂのＩＣチップ５２内に設けられたメモリ等であってもよい。特に記憶部８をＩＣカード２ａ，２ｂのＩＣチップ５２内に設けると、記憶部８に記憶させるＩＣカードの対比照合情報７２を分散させて記憶させることができるので、記憶部８の負荷を減らすことができ、システム全体の構成も簡素化できる。
【００７５】
分離部１０は、記憶部８の中に記憶された対比照合情報７２を、対比特徴情報４２と対比識別情報５３とに分離するために機能する。この場合、本実施形態に係るＩＣカードの真贋判定システム１は識別情報５１を照合するための第１の判定部９１と、第１の判定部９１で照合された識別情報５１に対応した特徴情報４２を照合するための第２の判定部９２を備えている。
【００７６】
第１の判定部９１は、ＩＣカード２ａ，２ｂのＩＣチップ５２から取得された識別情報５１を、予め記憶部８の中に記憶されている対比照合情報７２から分離した対比識別情報５３と比較することにより、識別情報５１が対比識別情報５３と同一であるか否かを判定する。また、第２の判定部９２は、ＩＣカード表面２１から取得された特徴情報４１を、第１の判定部９１によって判定された対比識別情報５３に対応しており且つ予め記憶部の中に記憶されている対比照合情報７２から分離した対比特徴情報４２と比較することにより、特徴情報４１が対比特徴情報４２と同一であるか否かを判定する。
【００７７】
その結果、第１の判定部９１および第２の判定部９２が対比すべき情報と同一であると判定すれば、ＩＣカードの真贋判定システム１は、ＩＣカード２ａ，２ｂを本物としてカード利用に対して提供されるべきアプリケーション処理を実行する。一方、第１の判定部９１および／または第２の判定部９２が対比すべき情報と同一でないと判定すれば、ＩＣカードの真贋判定システム１は、ＩＣカード２ａ，２ｂを偽物として、カード利用に対して提供されるべきアプリケーション処理の実行を拒否する。また、第１の判定部９１および第２の判定部９２による判定結果は、例えば上述した操作部１１に設けられた表示部やディスプレイなどの表示部に出力される。
【００７８】
次に、本実施形態のＩＣカードの真贋判定システム１におけるＩＣカード２ａ，２ｂの真贋判定方法について説明する。図３は、本発明の実施形態に係る真贋判定システム１におけるＩＣカード２ａ，２ｂの真贋判定処理手順の一例を示したフローチャートである。
【００７９】
まず、操作部１１は、所定の位置にＩＣカード２ａ，２ｂを受け入れるとスイッチがオンされ、スイッチオンの信号を受けた制御部１２は読取部３および取得部５へ処理開始を命令する。
【００８０】
ステップＳ１では、命令を受けた取得部５が、ＩＣチップ５２に格納されている識別情報５１を読み出す。
【００８１】
一方、ステップＳ２では、命令を受けた読取部３が、ＩＣカード表面２１からカード固有のランダムパターン２２，２３に基づく画像情報３１を読み取る。
【００８２】
ステップＳ３では、抽出部４が、特定情報６１に基づいて特定された抽出領域内の画像情報３１からカード固有の特徴量を特徴情報４１として抽出する。
【００８３】
ステップＳ４では、分離部７が、記憶部８の中に記憶されている対比照合情報を対比識別情報と対比特徴情報とへ分離する。
【００８４】
ステップＳ５では、第１の判定部９１が、識別情報５１を対比照合情報７２から分離した対比識別情報５３と比較することにより、識別情報５１が対比識別情報５３と同一であるか否かを判定する。
【００８５】
ステップＳ６では、第２の判定部９２が、特徴情報４１を、第１の判定部９１によって判定された対比識別情報５３に対応しており且つ対比照合情報７２から分離した対比特徴情報４２と比較することにより、特徴情報４１が対比特徴情報４２と同一であるか否かを判定する。
【００８６】
その結果、ステップＳ５で同一であると判定されそしてステップＳ６で同一であると判定されると、ＩＣカード２ａ，２ｂが本物である旨の結果が出力され、ステップＳ５で同一でないと判定され、および／またはステップＳ６で同一でないと判定されると、ＩＣカード２ａ，２ｂが偽物である旨の結果が出力される。そしてこれらの判定結果は、例えば操作部１１へ送信され、操作部１１に設けられた表示部やディスプレイなどの表示部に出力される。
【符号の説明】
【００８７】
１・・・・・・ＩＣカード真贋判定システム
１０・・・・・分離部
１１・・・・・操作部
１２・・・・・制御部
２ａ，２ｂ・・ＩＣカード
２１・・・・・カード表面
２２・・・・・インク混入物の分布に基づくランダムパターン
２３・・・・・繊維の配向に基づくランダムパターン
２４・・・・・カード基材
３・・・・・・読取部
３１・・・・・画像情報
４・・・・・・抽出部
４１・・・・・特徴情報
４２・・・・・対比特徴情報
５・・・・・・取得部
５１・・・・・識別情報
５２・・・・・ＩＣチップ
５３・・・・・対比識別情報
６・・・・・・特定部
６１・・・・・特定情報
７・・・・・・生成部
７１・・・・・照合情報
７２・・・・・対比照合情報
８・・・・・・記憶部
９・・・・・・判定部
９１・・・・・第１の判定部
９２・・・・・第２の判定部
【図１】
2014016883.tif 000003
【図２】
2014016883.tif 000004
【図３】
2014016883.tif 000005
【図４】
2014016883.tif 000006
【図５】
2014016883.tif 000007
【手続補正書】
【提出日】平成26年5月20日(2014.5.20)
【手続補正１】
【補正対象書類名】特許請求の範囲
【補正対象項目名】全文
【補正方法】変更
【補正の内容】
【特許請求の範囲】
【請求項１】
ＩＣカード表面から、カード固有のランダムパターンに基づく画像情報を読み取る読取部と、
前記画像情報から特徴量を特徴情報として抽出する抽出部と、
前記ＩＣカードのＩＣチップから、前記ＩＣカードの識別情報を取得する取得部と、
前記特徴情報を前記識別情報と対応付けることにより、照合情報を生成する生成部と、
前記照合情報を予め対比照合情報として記憶する記憶部と、
前記ＩＣカードから取得して生成した前記照合情報を、前記記憶部の中に記憶された前記対比照合情報と比較することにより、前記照合情報が前記対比照合情報と同一であるか否かを判定する判定部と、そして
前記識別情報に基づき、前記ＩＣカード表面上で前記特徴情報を抽出するための領域を特定する特定部を備えており、
前記抽出部は、前記特定部により特定された前記抽出領域内の画像情報に基づく特徴情報を抽出することを特徴とするＩＣカードの真贋判定システム。
【請求項２】
ＩＣカード表面から、カード固有のランダムパターンに基づく画像情報を読み取る読取部と、
前記画像情報から特徴量を特徴情報として抽出する抽出部と、
前記ＩＣカードのＩＣチップから、前記ＩＣカードの識別情報を取得する取得部と、
前記特徴情報を前記識別情報と対応付けることにより、照合情報を生成する生成部と、
前記照合情報を予め対比照合情報として記憶しておく記憶部と、
前記対比照合情報を対比識別情報と対比特徴情報とへ分離する分離部と、
前記ＩＣカードから取得した前記識別情報を、前記記憶部の中に記憶されている前記対比照合情報から分離した前記対比識別情報と比較することにより、前記識別情報が前記対比識別情報と同一であるか否かを判定する第１の判定部と、
前記ＩＣカードから取得した前記特徴情報を、前記第１の判定部によって判定された前記対比識別情報に対応しており且つ前記記憶部の中に記憶されている前記対比照合情報から分離した前記対比特徴情報と比較することにより、前記特徴情報が前記対比特徴情報と同一であるか否かを判定する第２の判定部と、そして
前記識別情報に基づき、前記ＩＣカード表面上で前記特徴情報を抽出するための領域を特定する特定部を備えており、
前記抽出部は、前記特定部により特定された前記抽出領域内の画像情報に基づく特徴情報を抽出することを特徴とするＩＣカードの真贋判定システム。
【請求項３】
（削除）
【請求項４】
前記ランダムパターンは、前記ＩＣカード表面に印刷されたインク中に混在する混入物の分布パターンであることを特徴とする請求項１又は２に記載のＩＣカードの真贋判定システム。
【請求項５】
前記ランダムパターンは、前記ＩＣカードを形成する紙の繊維の配向パターンであることを特徴とする請求項１又は２に記載のＩＣカードの真贋判定システム。
【請求項６】
前記記憶部は、前記ＩＣチップ内に設けられていることを特徴とする請求項１又は２に記載のＩＣカードの真贋判定システム。
【請求項７】
表面に、カード固有のランダムパターンを備え、そしてＩＣカードの識別情報が格納されたＩＣチップを備えていることを特徴とする、請求項１又は２に記載されたＩＣカードの真贋判定システムで使用されるＩＣカード。
【請求項８】
前記ランダムパターンは、前記ＩＣカード表面に印刷されたインク中に混在する混入物の分布パターンであることを特徴とする請求項７に記載のＩＣカード。
【請求項９】
前記ランダムパターンは、前記ＩＣカードを形成する紙の繊維の配向パターンであることを特徴とする請求項７に記載のＩＣカード。
【請求項１０】
前記記憶部は、前記ＩＣチップ内に設けられていることを特徴とする請求項７に記載のＩＣカード。
【手続補正書】
【提出日】平成27年12月18日(2015.12.18)
【手続補正１】
【補正対象書類名】特許請求の範囲
【補正対象項目名】全文
【補正方法】変更
【補正の内容】
【特許請求の範囲】
【請求項１】
ＩＣカード表面から、カード固有のランダムパターンに基づく画像情報を読み取る読取部と、
前記画像情報から特徴量を特徴情報として抽出する抽出部と、
前記ＩＣカードのＩＣチップから、前記ＩＣカードの識別情報を取得する取得部と、
前記特徴情報を前記識別情報と対応付けることにより、照合情報を生成する生成部と、
前記照合情報を予め対比照合情報として記憶する記憶部と、
前記ＩＣカードから取得して生成した前記照合情報を、前記記憶部の中に記憶された前記対比照合情報と比較することにより、前記照合情報が前記対比照合情報と同一であるか否かを判定する判定部と、そして
前記識別情報に基づき、前記ＩＣカード表面上で前記特徴情報を抽出するための領域を特定する特定部を備えており、
前記抽出部は、前記特定部により特定された前記抽出領域内の画像情報に基づく特徴情報を抽出することを特徴とするＩＣカードの真贋判定システム。
【請求項２】
ＩＣカード表面から、カード固有のランダムパターンに基づく画像情報を読み取る読取部と、
前記画像情報から特徴量を特徴情報として抽出する抽出部と、
前記ＩＣカードのＩＣチップから、前記ＩＣカードの識別情報を取得する取得部と、
前記特徴情報を前記識別情報と対応付けることにより、照合情報を生成する生成部と、
前記照合情報を予め対比照合情報として記憶しておく記憶部と、
前記対比照合情報を対比識別情報と対比特徴情報とへ分離する分離部と、
前記ＩＣカードから取得した前記識別情報を、前記記憶部の中に記憶されている前記対比照合情報から分離した前記対比識別情報と比較することにより、前記識別情報が前記対比識別情報と同一であるか否かを判定する第１の判定部と、
前記ＩＣカードから取得した前記特徴情報を、前記第１の判定部によって判定された前記対比識別情報に対応しており且つ前記記憶部の中に記憶されている前記対比照合情報から分離した前記対比特徴情報と比較することにより、前記特徴情報が前記対比特徴情報と同一であるか否かを判定する第２の判定部と、そして
前記識別情報に基づき、前記ＩＣカード表面上で前記特徴情報を抽出するための領域を特定する特定部を備えており、
前記抽出部は、前記特定部により特定された前記抽出領域内の画像情報に基づく特徴情報を抽出することを特徴とするＩＣカードの真贋判定システム。
【請求項３】
前記ランダムパターンは、前記ＩＣカード表面に印刷されたインク中に混在する混入物の分布パターンであることを特徴とする請求項１又は２に記載のＩＣカードの真贋判定システム。
【請求項４】
前記ランダムパターンは、前記ＩＣカードを形成する紙の繊維の配向パターンであることを特徴とする請求項１又は２に記載のＩＣカードの真贋判定システム。
【請求項５】
前記記憶部は、前記ＩＣチップ内に設けられていることを特徴とする請求項１又は２に記載のＩＣカードの真贋判定システム。
【国際調査報告】
2014016883.tif 000008
2014016883.tif 000009
2014016883.tif 000010
2014016883.tif 000011